(57)【要約】  本開示は、端末と基地局の間での通信用の方法、装置、デバイス、及び記憶媒体を提案する。第１の基地局が送信する第１のビーコン・フレームが受信され、第１のビーコン・フレームが第１の位置情報を含み、第１の位置情報は、第１の基地局の位置を特徴づけるために使用され、第１の位置情報と第２の位置情報との間の距離が、第１の所定の閾値よりも長い場合、又は第１の受信信号強度情報と第２の受信信号強度情報との間の差が、第２の所定の閾値よりも大きい場合に、第１の情報がネットワーク・サーバに送信され、第１の情報は、第１の情報に基づいて端末のダウンリンク・データに対応する基地局をネットワーク・サーバが更新するために使用される。このようにして、判定の確度を改善することができ、及び端末の消費電力を節約することができる。たとえば、端末の電池消費量を大幅に低減することができ、及び端末の電池寿命を改善することができる。
2021535643.tif 000002
【特許請求の範囲】
【請求項１】
端末と基地局の間の通信方法であって、
第１の基地局が送信する第１のビーコン・フレームを受信することであって、前記第１のビーコン・フレームが第１の位置情報を含み、前記第１の位置情報は前記第１の基地局の位置を特徴づけるために使用されることと、
前記第１の位置情報と第２の位置情報との間の距離が、第１の所定の閾値よりも長い場合、又は第１の受信信号強度情報と第２の受信信号強度情報との間の差が、第２の所定の閾値よりも大きい場合に、第１の情報をネットワーク・サーバに送信することであって、前記第１の情報は、前記第１の情報に基づいて前記端末のダウンリンク・データに対応する基地局を前記ネットワーク・サーバが更新するために使用され、前記第２の位置情報は、前記第１のビーコン・フレームが受信される前に受信される第２のビーコン・フレームに対応する第２の基地局の位置を特徴づけるために使用され、前記第２の受信信号強度情報は、前記第２のビーコン・フレームの受信信号強度を特徴づけるために使用されることと
を含む、通信方法。
【請求項２】
前記第１の基地局が送信する前記第１のビーコン・フレームを受信する前に、
前記第２の基地局が送信する前記第２のビーコン・フレームを受信することをさらに含み、前記第２のビーコン・フレームが前記第２の位置情報を含む、請求項１に記載の通信方法。
【請求項３】
前記第１の基地局が送信する前記第１のビーコン・フレームを受信する前に、
前記第２の基地局が送信する前記第２のビーコン・フレームを受信することと、前記第２のビーコン・フレームの前記第２の受信信号強度情報を記録することとをさらに含む、請求項１に記載の通信方法。
【請求項４】
前記第２の位置情報及び前記第２の受信信号強度情報が、第１の基地局識別子リストに記録され、前記方法は、
前記第１の位置情報と前記第２の位置情報との間の前記距離が、前記第１の所定の閾値よりも長い場合、又は前記第１の受信信号強度情報と前記第２の受信信号強度情報との間の差が、前記第２の所定の閾値よりも大きい場合に、前記第１の位置情報及び前記第１の受信信号強度情報を前記第１の基地局識別子リストに書き込むことをさらに含む、請求項１に記載の通信方法。
【請求項５】
端末と基地局の間の通信方法であって、
第３の基地局が送信する第３のビーコン・フレームを受信することであって、前記第３のビーコン・フレームが第３の位置情報を含み、前記第３の位置情報は前記第３の基地局の位置を特徴づけるために使用されることと、
前記第３の位置情報と第４の位置情報との間の距離が、第１の所定の閾値よりも長い場合に、第２の情報をネットワーク・サーバに送信することであって、前記第２の情報は、前記第２の情報に基づいて前記端末のダウンリンク・データに対応する基地局をネットワーク・サーバが更新するために使用され、前記第４の位置情報は、前記第３のビーコン・フレームが受信される前に受信される第４のビーコン・フレームに対応する第４の基地局の位置を特徴づけるために使用されることと
を含む、通信方法。
【請求項６】
前記第３の基地局が送信する前記第３のビーコン・フレームを受信する前に、
前記第４の基地局が送信する前記第４のビーコン・フレームを受信することをさらに含み、前記第４のビーコン・フレームが前記第４の位置情報を含む、請求項５に記載の通信方法。
【請求項７】
前記第４の位置情報が、第２の基地局識別子リストに記録され、前記方法は、
前記第３の位置情報と前記第４の位置情報との間の前記距離が、前記第１の所定の閾値よりも長い場合に、前記第３の位置情報を前記第２の基地局識別子リストに書き込むことをさらに含む、請求項５に記載の通信方法。
【請求項８】
端末と基地局の間の通信方法であって、
第５の基地局が送信する第５のビーコン・フレームを受信することであって、前記第５のビーコン・フレームが第１の基地局識別子を含むことと、
前記第１の基地局識別子が第２の基地局識別子と一致しない場合に、第３の情報をネットワーク・サーバに送信することであって、前記第３の情報は、前記第３の情報に基づいて前記端末のダウンリンク・データに対応する基地局を前記ネットワーク・サーバが更新するために使用され、前記第２の基地局識別子は、前記第５のビーコン・フレームが受信される前に受信される第６のビーコン・フレームに対応する第６の基地局を識別するために使用されることと
を含む、通信方法。
【請求項９】
前記第５の基地局が送信する前記第５のビーコン・フレームを受信する前に、
前記第６の基地局が送信する前記第６のビーコン・フレームを受信することをさらに含み、前記第６のビーコン・フレームが前記第２の基地局識別子を含む、請求項８に記載の通信方法。
【請求項１０】
前記第２の基地局識別子が、第３の基地局識別子リストに記録され、前記方法は、
前記第１の基地局識別子が、前記第２の基地局識別子と一致しない場合に、前記第１の基地局識別子を前記第３の基地局識別子リストに書き込むことをさらに含む、請求項８に記載の通信方法。
【請求項１１】
端末と基地局の間の通信方法であって、
第７の基地局が送信する第７のビーコン・フレームを受信することと、
第１の基地局識別子パラメータと第４の基地局識別子リスト内の既存の各基地局識別子パラメータとの間の差が、所定の閾値よりも大きい場合に、第４の情報をネットワーク・サーバに送信することであって、前記の第４の情報は、前記第４の情報に基づいて前記端末のダウンリンク・データに対応する基地局を前記ネットワーク・サーバが更新するために使用され、前記第１の基地局識別子パラメータは、前記第７の基地局を識別するために使用され、前記既存の基地局識別子パラメータは、前記第７のビーコン・フレームが受信される前に受信されるビーコン・フレームに対応する基地局を識別するために使用されることと
を含む、通信方法。
【請求項１２】
端末と基地局の間の通信方法であって、
第８の基地局が送信する第８のビーコン・フレームを受信することであって、前記第８のビーコン・フレームが第３の基地局識別子を含むことと、
前記第３の基地局識別子が第５の基地局識別子リスト内の既存の各基地局識別子と一致しない場合に、第５の情報をネットワーク・サーバに送信することであって、前記第５の情報は、前記第５の情報に基づいて前記端末のダウンリンク・データに対応する基地局を前記ネットワーク・サーバが更新するために使用され、前記第５の基地局識別子リストは、前記第８のビーコン・フレームが受信される前に受信されるビーコン・フレームに対応する基地局の識別子を記録することと
を含む、通信方法。
【請求項１３】
端末と基地局の間の通信装置であって、
第１の基地局が送信する第１のビーコン・フレームを受信するように構成された受信モジュールであって、前記第１のビーコン・フレームが第１の位置情報を含み、前記第１の位置情報は前記第１の基地局の位置を特徴づけるために使用される、受信モジュールと、
前記第１の位置情報と第２の位置情報との間の距離が、第１の所定の閾値よりも長い場合、又は第１の受信信号強度情報と第２の受信信号強度情報との間の差が、第２の所定の閾値よりも大きい場合に、第１の情報をネットワーク・サーバに送信するように構成された送信モジュールであって、前記第１の情報は、前記第１の情報に基づいて前記端末のダウンリンク・データに対応する基地局を前記ネットワーク・サーバが更新するために使用され、前記第２の位置情報は、前記第１のビーコン・フレームが受信される前に受信される第２のビーコン・フレームに対応する第２の基地局の位置を特徴づけるために使用され、前記第２の受信信号強度情報は、前記第２のビーコン・フレームの受信信号強度を特徴づけるために使用される、送信モジュールと
を備える、通信装置。
【請求項１４】
端末と基地局の間の通信装置であって、
第３の基地局が送信する第３のビーコン・フレームを受信するように構成された受信モジュールであって、前記第３のビーコン・フレームが第３の位置情報を含み、前記第３の位置情報は前記第３の基地局の位置を特徴づけるために使用される、受信モジュールと、
前記第３の位置情報と第４の位置情報との間の距離が、第１の所定の閾値よりも長い場合に、第２の情報をネットワーク・サーバに送信するように構成された送信モジュールであって、前記第２の情報は、前記第２の情報に基づいて前記端末のダウンリンク・データに対応する基地局を前記ネットワーク・サーバが更新するために使用され、前記第４の位置情報は、前記第３のビーコン・フレームが受信される前に受信される第４のビーコン・フレームに対応する第４の基地局の位置を特徴づけるために使用される、送信モジュールと
を備える、通信装置。
【請求項１５】
端末と基地局の間の通信装置であって、
第５の基地局が送信する第５のビーコン・フレームを受信するように構成された受信モジュールであって、前記第５のビーコン・フレームが第１の基地局識別子を含む、受信モジュールと、
前記第１の基地局識別子が第２の基地局識別子と一致しない場合に、第３の情報をネットワーク・サーバに送信するように構成された送信モジュールであって、前記第３の情報は、前記第３の情報に基づいて前記端末のダウンリンク・データに対応する基地局を前記ネットワーク・サーバが更新するために使用され、前記第２の基地局識別子は、前記第５のビーコン・フレームが受信される前に受信される第６のビーコン・フレームに対応する第６の基地局を識別するために使用される、送信モジュールと
を備える、通信装置。
【請求項１６】
端末と基地局の間の通信装置であって、
第７の基地局が送信する第７のビーコン・フレームを受信するように構成された受信モジュールと、
第１の基地局識別子パラメータと第４の基地局識別子リスト内の既存の各基地局識別子パラメータとの間の差が、所定の閾値よりも大きい場合に、第４の情報をネットワーク・サーバに送信するように構成された送信モジュールであって、前記第４の情報は、前記第４の情報に基づいて前記端末のダウンリンク・データに対応する基地局を前記ネットワーク・サーバが更新するために使用され、前記第１の基地局識別子パラメータは、前記第７の基地局を識別するために使用され、前記既存の基地局識別子パラメータは、前記第７のビーコン・フレームが受信される前に受信されるビーコン・フレームに対応する基地局を識別するために使用される、送信モジュールと
を備える、通信装置。
【請求項１７】
端末と基地局の間の通信装置であって、
第８の基地局が送信する第８のビーコン・フレームを受信するように構成された受信モジュールであって、前記第８のビーコン・フレームが第３の基地局識別子を含む、受信モジュールと、
前記第３の基地局識別子が第５の基地局識別子リスト内の既存の各基地局識別子と一致しない場合に、第５の情報をネットワーク・サーバに送信するように構成された送信モジュールであって、前記第５の情報は、前記第５の情報に基づいて前記端末のダウンリンク・データに対応する基地局を前記ネットワーク・サーバが更新するために使用され、前記第５の基地局識別子リストは、前記第８のビーコン・フレームが受信される前に受信されるビーコン・フレームに対応する基地局の識別子を記録する、送信モジュールと
を備える、通信装置。
【請求項１８】
プロセッサと、
実行可能コードを記憶するメモリと
を備えるコンピューティング装置であって、前記実行可能コードは、前記プロセッサによって実行されると、請求項１〜１２のいずれか一項に記載の前記方法を前記プロセッサが実行できるようにする、コンピューティング装置。
【請求項１９】
実行可能コードが記憶される非一時的で機械読取り可能な記憶媒体であって、前記実行可能コードは、電子装置のプロセッサによって実行されると、請求項１〜１２のいずれか一項に記載の前記方法を前記プロセッサが実行できるようにする、非一時的で機械読取り可能な記憶媒体。
【発明の詳細な説明】
【技術分野】
【０００１】
関連出願の相互参照
本出願は、「METHOD,APPARATUS,DEVICE,AND STORAGE MEDIUM FOR COMMUNICATION BETWEEN TERMINAL AND BASE STATION」と題する、２０１８年８月３１日出願の中国特許出願第２０１８１１００８８９０．５号の優先権を主張し、その全体を参考として本明細書に援用する。
【０００２】
技術分野
本開示は、通信の分野に関し、詳細には、端末と基地局の間での通信用の方法、装置、デバイス、及び記憶媒体に関する。
【背景技術】
【０００３】
背景
LoRaWAN規格のクラスＢでは、ビーコンがＧＰＳの緯度経度情報を含む。端末は、ビーコンを受信した後、ビーコンを送信する基地局のＧＰＳ緯度経度情報を取得することができる。端末は、ＧＰＳの緯度経度情報が変化したことを検出する場合、取得済みのデータ・パケットによってネットワーク・サーバが経路を変更できるように、すなわち、ネットワーク・サーバが、それを介して端末にダウンリンク・データを送信する基地局を変更できるように、データ・パケットを積極的に報告することになる。
【０００４】
しかし、同じ基地局から送出されるビーコンでのＧＰＳ緯度経度情報でさえ、わずかに異なる場合がある。端末は、変更されたビーコンを端末が受信するたびに、アップリンクのデータ・パケットをアップロードして経路を更新する間、端末の不要な消費電力を増加させ、端末の電池寿命を大幅に短縮することになる。本明細書において言及される経路は、端末にダウンリンク・データを送信するために、ネットワーク・サーバが選択する基地局である。
【発明の概要】
【発明が解決しようとする課題】
【０００５】
発明の概要
本開示の一目的は、端末の消費電力を削減することのできる、端末と基地局の間の通信方式を提供することである。
【課題を解決するための手段】
【０００６】
本開示の第１の態様によれば、端末と基地局の間の通信方法が提案され、方法は、第１の基地局が送信する第１のビーコン・フレームを受信することであって、第１のビーコン・フレームが第１の位置情報を含み、第１の位置情報は第１の基地局の位置を特徴づけるために使用されることと、第１の位置情報と第２の位置情報との間の距離が、第１の所定の閾値よりも長い場合、又は第１の受信信号強度情報と第２の受信信号強度情報との間の差が、第２の所定の閾値よりも大きい場合に、第１の情報をネットワーク・サーバに送信することであって、第１の情報は、第１の情報に基づいて端末のダウンリンク・データに対応する基地局をネットワーク・サーバが更新するために使用され、第２の位置情報は、第１のビーコン・フレームが受信される前に受信される第２のビーコン・フレームに対応する第２の基地局の位置を特徴づけるために使用され、第２の受信信号強度情報は、第２のビーコン・フレームの受信信号強度を特徴づけるために使用されることとを含む。
【０００７】
任意選択として、第１の基地局が送信する第１のビーコン・フレームを受信する前に、方法はさらに、第２の基地局が送信する第２のビーコン・フレームを受信することを含み、第２のビーコン・フレームが第２の位置情報を含む。
【０００８】
任意選択として、第１の基地局が送信する第１のビーコン・フレームを受信する前に、方法はさらに、第２の基地局が送信する第２のビーコン・フレームを受信することと、第２のビーコン・フレームの第２の受信信号強度情報を記録することとを含む。
【０００９】
任意選択として、第２の位置情報及び第２の受信信号強度情報が、第１の基地局識別子リストに記録され、方法は、第１の位置情報と第２の位置情報との間の距離が、第１の所定の閾値よりも長い場合、又は第１の受信信号強度情報と第２の受信信号強度情報との間の差が、第２の所定の閾値よりも大きい場合に、第１の位置情報及び第１の受信信号強度情報を第１の基地局識別子リストに書き込むことをさらに含む。
【００１０】
本開示の第２の態様によれば、端末と基地局の間の通信方法がまた提案され、方法は、第３の基地局が送信する第３のビーコン・フレームを受信することであって、第３のビーコン・フレームが第３の位置情報を含み、第３の位置情報は第３の基地局の位置を特徴づけるために使用されることと、第３の位置情報と第４の位置情報との間の距離が、第１の所定の閾値よりも長い場合に、第２の情報をネットワーク・サーバに送信することであって、第２の情報は、第２の情報に基づいて端末のダウンリンク・データに対応する基地局をネットワーク・サーバが更新するために使用され、第４の位置情報は、第３のビーコン・フレームが受信される前に受信される第４のビーコン・フレームに対応する第４の基地局の位置を特徴づけるために使用されることとを含む。
【００１１】
任意選択として、第３の基地局が送信する第３のビーコン・フレームを受信する前に、方法はさらに、第４の基地局が送信する第４のビーコン・フレームを受信することを含み、第４のビーコン・フレームが第４の位置情報を含む。
【００１２】
任意選択として、第４の位置情報が、第２の基地局識別子リストに記録され、方法は、第３の位置情報と第４の位置情報との間の距離が、第１の所定の閾値よりも長い場合に、第３の位置情報を第２の基地局識別子リストに書き込むことをさらに含む。
【００１３】
本開示の第３の態様によれば、端末と基地局の間の通信方法がまた提案され、方法は、第５の基地局が送信する第５のビーコン・フレームを受信することであって、第５のビーコン・フレームが第１の基地局識別子を含むことと、第１の基地局識別子が第２の基地局識別子と一致しない場合に、第３の情報をネットワーク・サーバに送信することであって、第３の情報は、第３の情報に基づいて端末のダウンリンク・データに対応する基地局をネットワーク・サーバが更新するために使用され、第２の基地局識別子は、第５のビーコン・フレームが受信される前に受信される第６のビーコン・フレームに対応する第６の基地局を識別するために使用されることとを含む。
【００１４】
任意選択として、第５の基地局が送信する第５のビーコン・フレームを受信する前に、方法は、第６の基地局が送信する第６のビーコン・フレームを受信することをさらに含み、第６のビーコン・フレームが第２の基地局識別子を含む。
【００１５】
任意選択として、第２の基地局識別子が、第３の基地局識別子リストに記録され、方法は、第１の基地局識別子が、第２の基地局識別子と一致しない場合に、第１の基地局識別子を第３の基地局識別子リストに書き込むことをさらに含む。
【００１６】
本開示の第４の態様によれば、端末と基地局の間の通信方法がまた提案され、方法は、第７の基地局が送信する第７のビーコン・フレームを受信することと、第１の基地局識別子パラメータと第４の基地局識別子リスト内の既存の各基地局識別子パラメータとの間の差が、所定の閾値よりも大きい場合に、第４の情報をネットワーク・サーバに送信することであって、第４の情報は、第４の情報に基づいて端末のダウンリンク・データに対応する基地局をネットワーク・サーバが更新するために使用され、第１の基地局識別子パラメータは、第７の基地局を識別するために使用され、既存の基地局識別子パラメータは、第７のビーコン・フレームが受信される前に受信されるビーコン・フレームに対応する基地局を識別するために使用されることとを含む。
【００１７】
本開示の第５の態様によれば、端末と基地局の間の通信方法がまた提案され、方法は、第８の基地局が送信する第８のビーコン・フレームを受信することであって、第８のビーコン・フレームが第３の基地局識別子を含むことと、第３の基地局識別子が第５の基地局識別子リスト内の既存の各基地局識別子と一致しない場合に、第５の情報をネットワーク・サーバに送信することであって、第５の情報は、第５の情報に基づいて端末のダウンリンク・データに対応する基地局をネットワーク・サーバが更新するために使用され、第５の基地局識別子リストは、第８のビーコン・フレームが受信される前に受信されるビーコン・フレームに対応する基地局の識別子を記録することとを含む。
【００１８】
本開示の第６の態様によれば、端末と基地局の間の通信装置がまた提案され、装置は、第１の基地局が送信する第１のビーコン・フレームを受信するように構成された受信モジュールであって、第１のビーコン・フレームが第１の位置情報を含み、第１の位置情報は第１の基地局の位置を特徴づけるために使用される、受信モジュールと、第１の位置情報と第２の位置情報との間の距離が、第１の所定の閾値よりも長い場合、又は第１の受信信号強度情報と第２の受信信号強度情報との間の差が、第２の所定の閾値よりも大きい場合に、第１の情報をネットワーク・サーバに送信するように構成された送信モジュールであって、第１の情報は、第１の情報に基づいて端末のダウンリンク・データに対応する基地局をネットワーク・サーバが更新するために使用され、第２の位置情報は、第１のビーコン・フレームが受信される前に受信される第２のビーコン・フレームに対応する第２の基地局の位置を特徴づけるために使用され、第２の受信信号強度情報は、第２のビーコン・フレームの受信信号強度を特徴づけるために使用される、送信モジュールとを備える。
【００１９】
本開示の第７の態様によれば、端末と基地局の間の通信装置がまた提案され、装置は、第３の基地局が送信する第３のビーコン・フレームを受信するように構成された受信モジュールであって、第３のビーコン・フレームが第３の位置情報を含み、第３の位置情報は第３の基地局の位置を特徴づけるために使用される、受信モジュールと、第３の位置情報と第４の位置情報との間の距離が、第１の所定の閾値よりも長い場合には、第２の情報をネットワーク・サーバに送信するように構成された送信モジュールであって、第２の情報は、第２の情報に基づいて端末のダウンリンク・データに対応する基地局をネットワーク・サーバが更新するために使用され、第４の位置情報は、第３のビーコン・フレームが受信される前に受信される第４のビーコン・フレームに対応する第４の基地局の位置を特徴づけるために使用される、送信モジュールとを備える。
【００２０】
本開示の第８の態様によれば、端末と基地局の間の通信装置がまた提案され、装置は、第５の基地局が送信する第５のビーコン・フレームを受信するように構成された受信モジュールであって、第５のビーコン・フレームが第１の基地局識別子を含む受信モジュールと、第１の基地局識別子が第２の基地局識別子と一致しない場合に、第３の情報をネットワーク・サーバに送信するように構成された送信モジュールであって、第３の情報は第３の情報に基づいて端末のダウンリンク・データに対応する基地局をネットワーク・サーバが更新するために使用され、第２の基地局識別子は、第５のビーコン・フレームが受信される前に受信される第６のビーコン・フレームに対応する第６の基地局を識別するために使用される、送信モジュールとを備える。
【００２１】
本開示の第９の態様によれば、端末と基地局の間の通信装置がまた提案され、装置は、第７の基地局が送信する第７のビーコン・フレームを受信するように構成された受信モジュールと、第１の基地局識別子パラメータと第４の基地局識別子リスト内の既存の各基地局識別子パラメータとの間の差が、所定の閾値よりも大きい場合に、第４の情報をネットワーク・サーバに送信するように構成された送信モジュールであって、第４の情報は、第４の情報に基づいて端末のダウンリンク・データに対応する基地局をネットワーク・サーバが更新するために使用され、第１の基地局識別子パラメータは、第７の基地局を識別するために使用され、既存の基地局識別子パラメータは、第７のビーコン・フレームが受信される前に受信されるビーコン・フレームに対応する基地局を識別するために使用される、送信モジュールとを備える。
【００２２】
本開示の第１０の態様によれば、端末と基地局の間の通信装置がまた提案され、装置は、第８の基地局が送信する第８のビーコン・フレームを受信するように構成された受信モジュールであって、第８のビーコン・フレームが第３の基地局識別子を含む受信モジュールと、第３の基地局識別子が第５の基地局識別子リスト内の既存の各基地局識別子と一致しない場合に、第５の情報をネットワーク・サーバに送信するように構成された送信モジュールであって、第５の情報は、第５の情報に基づいて端末のダウンリンク・データに対応する基地局をネットワーク・サーバが更新するために使用され、第５の基地局識別子リストは、第８のビーコン・フレームが受信される前に受信されるビーコン・フレームに対応する基地局の識別子を記録する、送信モジュールとを備える。
【００２３】
本開示の第１１の態様によれば、コンピューティング装置がまた提案され、装置は、プロセッサと、実行可能コードを記憶するメモリとを備え、実行可能コードは、プロセッサによって実行されると、本開示の第１の態様から第５の態様までのいずれか１つの態様に記載の方法をプロセッサが実行できるようにする。
【００２４】
本開示の第１２の態様によれば、非一時的で機械読取り可能な記憶媒体がまた提案され、媒体は、実行可能コードを記憶し、実行可能コードは、電子装置のプロセッサによって実行されると、本開示の第１の態様から第５の態様までのいずれか１つの態様に記載の方法をプロセッサが実行できるようにする。
【００２５】
本開示は、基地局を識別するためのパラメータ情報として、地理的な位置情報、又は地理的な位置情報と受信信号強度情報との組合せを使用し、現在受信しているビーコン・フレームのパラメータ情報と、これまでに受信したビーコン・フレームのパラメータ情報との間の変化の大きさを比較することによって、今回受信したビーコン・フレームと、これまでに受信したビーコン・フレームとが同じ基地局から送出されたものかどうか判定し、又は、現在受信しているビーコン・フレーム内の基地局識別子が、これまでに受信したビーコン・フレーム内の基地局識別子と一致しているかどうかを比較することによって、今回受信したビーコン・フレームと、これまでに受信したビーコン・フレームとが同じ基地局から送出されたものであるかどうか判定する。このようにして、判定の確度を改善することができ、端末の消費電力を節約することができる。たとえば、端末の電池消費量を大幅に低減することができ、端末の電池寿命を改善することができる。
【００２６】
図面の簡単な説明
添付図面とともに本開示の例示的な実施形態のさらに詳細な説明を通して、本開示の上記及びその他の目的、特徴、及び利点がさらに明らかになろう。本開示の例示的な実施形態では、同一の参照番号は、一般に同一の部品を示す。
【図面の簡単な説明】
【００２７】
【図１】本開示の一実施形態による、端末と基地局の間の通信方法を示す概略流れ図である。
【図２】図１に示す方法をLoRaWANの場面に適用する様子を示す概略流れ図である。
【図３】本発明の別の実施形態による、端末と基地局の間の通信方法を示す概略流れ図である。
【図４】本発明の別の実施形態による、端末と基地局の間の通信方法を示す概略流れ図である。
【図５】図４に示す方法をLoRaWANの場面に適用する様子を示す概略流れ図である。
【図６】本発明の別の実施形態による、端末と基地局の間の通信方法を示す概略流れ図である。
【図７】本発明の別の実施形態による、端末と基地局の間の通信方法を示す概略流れ図である。
【図８】本開示の一実施形態による、端末と基地局の間の通信装置の構造を示す概略ブロック図である。
【図９】本開示の実施形態による、端末と基地局の間の前述の通信方法を実装するのに使用することができる、コンピューティング装置の概略構造図を示す。
【発明を実施するための形態】
【００２８】
詳細な説明
添付図面を参照して、本開示の好ましい実施形態を以下でより詳細に説明する。本開示の好ましい実施形態が添付図面に示してあるが、本開示は、様々な形式で実施することができ、本明細書に記載の実施形態によって限定されるべきではないことを理解されたい。むしろ、こうした実施形態は、本開示をさらに完璧且つ完全なものとし、本開示の範囲を当業者に完全に伝えるために提示される。
【００２９】
［用語説明］
LoRa：スペクトラム拡散技術に基づく低電力長距離無線伝送方式。
【００３０】
LoRaWAN：LoRa広域ネットワークは、低電力で広域の「モノのインターネット」ソリューションである。
【００３１】
ＮＳ：ネットワーク・サーバ。
【００３２】
ＢＳ：基地局。
【００３３】
ビーコン・フレーム（Beacon Frame）：ビーコン・フレーム。
【００３４】
ＧＷＥＵＩ：６４ビットＥＵＩなど、基地局の拡張固有識別子（ゲートウェイ拡張固有識別子（ＧＷＥＵＩ））。
【００３５】
基地局識別子リスト：様々な基地局を区別することができるパラメータ情報を含むリスト。パラメータ情報は、基地局の識別子、すなわち基地局の拡張固有識別子（ゲートウェイ拡張固有識別子（ＧＷＥＵＩ））でもよい。さらに、パラメータ情報はまた、基地局位置情報（すなわち、緯度経度情報）及び受信信号強度情報のうち少なくとも一方でもよい。
【００３６】
［端末と基地局の間の通信方法］
判定の確度を改善し、端末の消費電力を節約するために、本開示は、基地局を識別するためのパラメータ情報として、地理的位置情報と受信信号強度情報との組合せ、又は地理的位置情報を使用し、現在受信しているビーコン・フレームのパラメータ情報と、これまでに受信したビーコン・フレームのパラメータ情報との間の変化の大きさを比較することによって、今回受信したビーコン・フレームと、これまでに受信したビーコン・フレームとが同じの基地局から送出されたものであるかどうか判定することが可能であることを提案する。たとえば、現在受信しているビーコン・フレーム内の基地局の地理的位置情報と、これまでに受信したビーコン・フレーム内の基地局の地理的位置情報との間の距離が、第１の所定の閾値を超えるかどうかを比較することによって、今回受信したビーコン・フレームと、これまでに受信したビーコン・フレームとが同じ基地局から送出されたものであるかどうか判定することが可能である。別の例では、現在受信している地理的位置情報と、これまでに受信した地理的位置情報との間の距離が、第１の所定の閾値を超えるかどうかと、ビーコン・フレームの各受信信号強度間の差が、第２の所定の閾値を超えるかどうかとを同時に比較することによって、現在受信しているビーコン・フレームと、これまでに受信したビーコン・フレームとが同じ基地局から送出されたものであるかどうか判定することも可能である。
【００３７】
さらに、本開示は、現在受信しているビーコン・フレーム内のＧＷＥＵＩが、これまでに受信したビーコン・フレーム内のＧＷＥＵＩと一致しているかどうかを比較することによって、今回受信したビーコン・フレームと、これまでに受信したビーコン・フレームとが同じ基地局から送出されたものであるかどうか判定することも可能であることを提案する。
【００３８】
ビーコン・フレーム内のＧＰＳ情報が変化したかどうかを単に比較する場合に比べて、本開示の判定方法はさらに正確であり、これにより、不要な基地局更新フレームを端末が送信する回数を削減することができ、端末の消費電力を低減することができ、端末の電池の耐用年数を延ばすことができる。
【００３９】
本開示において提案されている判定方法の実施プロセスを、それぞれ以下でさらに説明する。
【００４０】
方法１：
図１は、本開示の一実施形態による、端末と基地局の間の通信方法を示す概略流れ図である。図１に示す方法は、端末で実行することができる。
【００４１】
図１を参照すると、ステップＳ１１０において、第１の基地局が送信する第１のビーコン・フレームを受信する。
【００４２】
ステップＳ１２０において、第１の位置情報と第２の位置情報との間の距離が、第１の所定の閾値よりも長い場合、又は第１の受信信号強度情報と第２の受信信号強度情報との間の差が、第２の所定の閾値よりも大きい場合には、第１の情報がネットワーク・サーバに送信される。
【００４３】
第１のビーコン・フレームは第１の位置情報を含み、第１の位置情報は、第１の基地局の位置を特徴づけるために使用される。第２の位置情報は、第１のビーコン・フレームが受信される前に受信される第２のビーコン・フレームに対応する第２の基地局の位置を特徴づけるために使用される。第１の基地局と第２の基地局は、同じ基地局でもよく、又は異なる基地局でもよい。一例として、第１の位置情報及び第２の位置情報は、ＧＰＳの緯度経度情報など、対応する基地局のＧＰＳ情報でもよい。
【００４４】
第１の受信信号強度情報は、受信した第１のビーコン・フレームの受信信号強度を特徴づけるために使用される。第２の受信信号強度情報は、第１のビーコン・フレームが受信される前に受信される第２のビーコン・フレームの受信信号強度を特徴づけるために使用される。本開示では、第２の受信強度情報と第２の位置情報の両方は、第１のビーコン・フレームが受信される前に受信される第２のビーコン・フレームに対応する第２の基地局を識別するのに使用されるパラメータ情報とみなすことができる。
【００４５】
本開示の一例として、ステップＳ１１０が実行される前に、第２の基地局が送信する第２のビーコン・フレームも受信してもよく、第２のビーコン・フレームは第２の位置情報を含む。さらに、第２のビーコン・フレームの第２の受信信号強度情報も記録してもよい。
【００４６】
第１のビーコン・フレームを受信した後、第１の位置情報と第２の位置情報との間の距離が、第１の所定の閾値よりも長いかどうか判定し、第１の受信信号強度情報と第２の受信信号強度情報との間の差が、第２の所定の閾値よりも大きいかどうか判定することが可能である。第１の所定の閾値及び第２の所定の閾値の具体的な数値は、実情に応じて設定することができ、ここで繰り返されることはない。
【００４７】
第１の位置情報と第２の位置情報との間の距離が、第１の所定の閾値よりも長い場合、又は第１の受信信号強度情報と第２の受信信号強度情報との間の差が、第２の所定の閾値よりも大きい場合に、第１のビーコン・フレームと第２のビーコン・フレームとが、異なる基地局から送出されたものである（すなわち、第１の基地局は第２の基地局とは異なる）とみなすことができ、この時点で第１の情報をネットワーク・サーバに送信することができる。
【００４８】
すなわち、第１の位置情報と第２の位置情報との間の距離が、第１の所定の閾値よりも長くなく、且つ第１の受信信号強度情報と第２の受信信号強度情報との間の差が、第２の所定の閾値よりも大きくない場合、第１のビーコン・フレームと第２のビーコン・フレームとが、同じ基地局から送出されたものであり、すなわち、第１の基地局と第２の基地局は同じ基地局であるとみなすことができる。したがって、第１の位置情報と第２の位置情報との間の距離が、第１の所定の閾値よりも長くなく、且つ第１の受信信号強度情報と第２の受信信号強度情報との間の差が、第２の所定の閾値よりも大きくない場合に、第１の情報はネットワーク・サーバに送信されない。
【００４９】
第１の情報は、第１の情報に基づいて端末のダウンリンク・データに対応する基地局をネットワーク・サーバが更新するために使用される。第１の情報は、基地局更新要求（すなわち、アップリンク経路の更新フレーム）など、ある特定のデータ情報を運ぶ情報フレームでもよい。さらに、第１の情報は空パケットでもよく、第１の情報に含まれるデータ内容は、本開示においては限定されない。送信された第１の情報は、１つ又は複数の基地局によって受信されてもよく、１つ又は複数の基地局によってネットワーク・サーバに転送されてもよい。ネットワーク・サーバは、受信した第１の情報の品質データ（たとえば、受信信号強度指標（ＲＳＳＩ）及び／又は信号対雑音比（ＳＮＲ）など）に応じて、端末のダウンリンク・データに対応する基地局を更新してもよい。たとえば、端末のダウンリンク・データに対応する基地局として、受信信号強度指標（ＲＳＳＩ）及び／又は信号対雑音比（ＳＮＲ）が最大の基地局を選択することができる。
【００５０】
本開示の一実施形態では、端末は、基地局識別子リスト（区別するために、「第１の基地局識別子リスト」と呼んでもよい）を保持してもよく、第２の位置情報及び第２の受信信号強度情報は、第１の基地局識別子リストに記録され、たとえば、第１の基地局識別子リストに関連づけて記録することができる。第１の位置情報と第２の位置情報との間の距離が、第１の所定の閾値よりも長い場合、又は第１の受信信号強度情報と第２の受信信号強度情報との間の差が、第２の所定の閾値よりも大きい場合に、第１の基地局は、これまでに受信された第２のビーコン・フレームに対応する第２の基地局とは異なるとみなすことができる。この時点で、第１の基地局を識別するための基地局識別子パラメータとして、第１の位置情報と第１の受信信号強度情報を、第１の基地局識別子リストに書き込むことができる（関連づけて書き込むことができる）。したがって、様々な基地局を識別するのにそれぞれ使用される基地局識別子パラメータの複数のセットを、第１の基地局識別子リストに記録することができる。続いて新規のビーコン・フレームが受信されると、新規のビーコン・フレーム内のその位置情報及び受信信号強度情報を、第１の基地局識別子リストに記録された基地局識別子パラメータの各セット（すなわち、位置情報及び受信信号強度情報）とそれぞれ比較することができる。第１の基地局識別子リストにおいて、位置情報の差が第１の所定の閾値よりも小さく、受信信号強度の差が第２の所定の閾値よりも小さいような基地局識別子パラメータが存在しない場合、現在受信しているビーコン・フレームに対応する基地局が新規の基地局であるとみなすことができ、第１の情報をネットワーク・サーバに送信することができる。
【００５１】
図２は、図１に示す方法をLoRaWANの場面に適用する様子を示す概略流れ図である。
【００５２】
図２に示すネットワーク・サーバはLoRaWANサーバでもよく、基地局（ゲートウェイ）はLoRa基地局でもよい。端末（端末装置）とネットワーク・サーバは、LoRaWANプロトコルに基づいて通信することができ、すなわち端末は、１つ又は複数の基地局を介してサーバにアップリンク・データを送信することができ、サーバも、１つ又は複数の基地局を介してダウンリンク・データを端末に送信することができる。さらに、アップリンク・データが通過する基地局と、ダウンリンク・データが通過する基地局の分布は、一致していてもよく、一致していなくてもよい。
【００５３】
本開示では、端末（端末装置）は、LoRaWANプロトコルのクラスＢモードで動作する端末でもよい。クラスＢでは、基地局がビーコンを１２８秒ごとに送信し、端末装置が受信ウィンドウを周期的に開き（これを「ｐｉｎｇスロット」と呼ぶ）、受信ウィンドウ内でネットワーク・サーバが送信するダウンリンク通信を「ｐｉｎｇフレーム」と呼ぶ。
【００５４】
図２に示すように、１．第２の基地局（ゲートウェイ２）が、クラスＢモードで動作する端末に第２のビーコン・フレームを送信し、第２のビーコン・フレームは、ゲートウェイ２の位置を特徴づけるのに使用される第２の位置情報を含む。
【００５５】
２．端末が受信する第２のビーコン・フレームの第２位置情報と第２の受信信号強度情報が、第２の基地局を区別するためのパラメータ情報として第１の基地局識別子リストに記録される。
【００５６】
３．ネットワーク・サーバは、ｐｉｎｇフレームをゲートウェイに送信する。
【００５７】
４．ゲートウェイは、ｐｉｎｇフレームを端末装置に送信する。
【００５８】
５．第１の基地局（ゲートウェイ１）は、第１のビーコン・フレームを端末に送信し、第１のビーコン・フレームは、ゲートウェイ１の位置を特徴づけるのに使用される第１の位置情報を含む。
【００５９】
６．端末は、受信した第１のビーコン・フレームの２つのパラメータ（第１のビーコン・フレームの第１の位置情報及び第１の受信信号強度情報）と、第１の基地局識別子リスト内の２つのパラメータとを比較する。第１の位置情報とリスト内に保存された位置情報（すなわち、第２の位置情報）との間の距離が、事前設定された第１の閾値よりも短いかどうか、及び第１の受信信号強度情報とリスト内に保存された受信信号強度情報（すなわち、第２の受信信号強度情報）との間の差が、事前設定された第２の閾値よりも小さいかどうかが判定される。両方とも、事前設定されたそれぞれの閾値よりも小さい場合、第１のビーコン・フレーム及び第２のビーコン・フレームは、同じ基地局によって送出されたとみなされ、第１の情報は送信されず、前述の条件を満たさない場合には、ステップ７が実行される。
【００６０】
７．端末は、第１の情報をゲートウェイに送信する。
【００６１】
８．ゲートウェイは、第１の情報をネットワーク・サーバに送信する。
【００６２】
９．ネットワーク・サーバは、第１の情報によって、端末のダウンリンク・データに対応する基地局を更新する。たとえば、ネットワーク・サーバは、端末のダウンリンク・データに対応する基地局として、受信信号が最も強いゲートウェイを選択してもよい。
【００６３】
ビーコン・フレーム内のＧＰＳ情報が変化したかどうかを単に比較する場合に比べて、本開示において提案する、ＧＰＳ情報の変化の大きさに基づく判定方法はさらに正確であり、これにより、不要な基地局更新フレームを端末が送信する回数を削減することができ、端末の消費電力を低減することができ、端末の電池の耐用年数を延ばすことができる。
【００６４】
方法２：
図３は、本発明の別の実施形態による、端末と基地局の間の通信方法を示す概略流れ図である。図３に示す方法は、端末で実行することができる。
【００６５】
図３を参照すると、ステップＳ３１０において、第３の基地局が送信する第３のビーコン・フレームを受信する。
【００６６】
ステップＳ３２０において、第３の位置情報と第４の位置情報との間の距離が、第１の所定の閾値よりも長い場合に、第２の情報がネットワーク・サーバに送信される。
【００６７】
第３のビーコン・フレームは第３の位置情報を含み、第３の位置情報は、第３の基地局の位置を特徴づけるために使用される。第４の位置情報は、第３のビーコン・フレームが受信される前に受信される第４のビーコン・フレームに対応する第４の基地局の位置を特徴づけるために使用される。第３の基地局と第４の基地局は、同じ基地局でもよく、又は異なる基地局でもよい。一例として、第３の位置情報及び第４の位置情報は、ＧＰＳの緯度経度情報など、対応する基地局のＧＰＳ情報でもよい。
【００６８】
本開示の一例として、ステップＳ３１０が実行される前に、第４の基地局が送信する第４のビーコン・フレームも受信してもよく、第４のビーコン・フレームは第４の位置情報を含む。
【００６９】
第３のビーコン・フレームを受信した後、第３の位置情報と第４の位置情報との間の距離が、第１の所定の閾値よりも長いかどうか判定することが可能である。第１の所定の閾値の具体的な数値は、実情に応じて設定することができ、ここで繰り返されることはない。
【００７０】
第３の位置情報と第４の位置情報との間の距離が、第１の所定の閾値よりも長い場合、第３の基地局が第４の基地局とは異なるとみなすことができ、第２の情報をネットワーク・サーバに送信することができる。すなわち、第３の位置情報と第４の位置情報との間の距離が、第１の所定の閾値よりも長くない場合、第３のビーコン・フレームと第４のビーコン・フレームとが、同じ基地局から送出されたものであり、すなわち、第３の基地局と第４の基地局は同じ基地局であるとみなすことができる。したがって、第３の位置情報と第４の位置情報との間の距離が、第１の所定の閾値よりも長くない場合、第２の情報はネットワーク・サーバに送信されない。
【００７１】
前述の第１の情報の役割と同様に、第２の情報は、第１の情報に基づいて端末のダウンリンク・データに対応する基地局をネットワーク・サーバが更新するために使用される。第２の情報は、基地局更新要求（すなわち、アップリンク経路の更新フレーム）など、ある特定のデータ情報を運ぶ情報フレームでもよい。さらに、第２の情報は空パケットでもよく、第１の情報に含まれるデータ内容は、本開示においては限定されない。送信された第２の情報は、１つ又は複数の基地局によって受信されてもよく、１つ又は複数の基地局によってネットワーク・サーバに転送されてもよい。ネットワーク・サーバは、受信した第２の情報の品質データ（たとえば、受信信号強度指標（ＲＳＳＩ）及び／又は信号対雑音比（ＳＮＲ）など）に応じて、端末のダウンリンク・データに対応する基地局を更新してもよい。たとえば、端末のダウンリンク・データに対応する基地局として、受信信号強度指標（ＲＳＳＩ）及び／又は信号対雑音比（ＳＮＲ）が最大の基地局を選択することができる。
【００７２】
本開示の一実施形態では、端末は、基地局識別子リスト（区別するために、「第２の基地局識別子リスト」と呼んでもよい）を保持してもよく、第３の位置情報は、第２の基地局識別子リストに記録される。第３の位置情報と第４の位置情報との間の距離が、第１の所定の閾値よりも長い場合、第３の基地局は、これまでに受信した第４のビーコン・フレームに対応する第４の基地局とは異なるとみなすことができる。この時点で、第３の基地局を識別するための基地局識別子パラメータとして、第３の位置情報を、第２の基地局識別子リストに書き込むことができる。したがって、様々な基地局を識別するのにそれぞれ使用される複数の基地局識別子パラメータを、第２の基地局識別子リストに記録することができる。続いて新規のビーコン・フレームが受信される場合、新規のビーコン・フレーム内の位置情報を、第２の基地局識別子リストに記録された各基地局識別子パラメータ（すなわち、位置情報）とそれぞれ比較することができる。第２の基地局識別子リストにおいて、位置情報の差が第１の所定の閾値よりも小さいような基地局識別子パラメータが存在しない場合、現在受信しているビーコン・フレームに対応する基地局が新規の基地局であるとみなすことができ、第２の情報をネットワーク・サーバに送信することができ、新規のビーコン・フレーム内の位置情報を第２の基地局識別子リストに書き込むことができる。
【００７３】
方法３：
図４は、本発明の別の実施形態による、端末と基地局の間の通信方法を示す概略流れ図である。図４に示す方法は、端末で実行することができる。
【００７４】
図４を参照すると、ステップＳ４１０において、第５の基地局が送信する第５のビーコン・フレームを受信する。
【００７５】
ステップＳ４２０において、第１の基地局識別子が第２の基地局識別子と一致しない場合、第３の情報がネットワーク・サーバに送信される。
【００７６】
第５のビーコン・フレームは第１の基地局識別子を含み、第１の基地局識別子は、第５のビーコン・フレームを送信する第５の基地局を識別するために使用される。第２の基地局識別子は、第５のビーコン・フレームが受信される前に受信される第６のビーコン・フレームに対応する第６の基地局を識別するために使用される。第５の基地局と第６の基地局は、同じ基地局でもよく、又は異なる基地局でもよい。第１の基地局識別子及び第２の基地局識別子は、６４ビットＥＵＩなどの基地局拡張固有識別子（ゲートウェイ拡張固有識別子（ＧＷＥＵＩ））でもよい。
【００７７】
本開示の一例として、ステップＳ４１０が実行される前に、第６の基地局が送信する第６のビーコン・フレームも受信してもよく、第６のビーコン・フレームは第２の基地局識別子を含む。
【００７８】
第５のビーコン・フレームを受信した後、第１の基地局識別子が第２の基地局識別子と一致しているかどうか判定することが可能である。第１の基地局識別子が第２の基地局識別子と一致している場合、第５のビーコン・フレームと第６のビーコン・フレームとが、同じ基地局から送出されたものであり、すなわち、第５の基地局と第６の基地局が同じ基地局であるとみなすことができる。したがって、第１の基地局識別子が第２の基地局識別子と一致している場合、第３の情報はネットワーク・サーバに送信されない。第１の基地局識別子が第２の基地局識別子と一致しない場合、第５のビーコン・フレームと第６のビーコン・フレームとが、同じ基地局から送出されたものではなく、すなわち、第５の基地局と第６の基地局が同じ基地局ではないとみなすことができる。したがって、第１の基地局識別子が第２の基地局識別子と一致しない場合、第３の情報がネットワーク・サーバに送信される。
【００７９】
前述の第１の情報及び第２の情報の役割と同様に、第３の情報は、第３の情報に基づいて端末のダウンリンク・データに対応する基地局をネットワーク・サーバが更新するために使用される。第３の情報は、基地局更新要求（すなわち、アップリンク経路の更新フレーム）など、ある特定のデータ情報を運ぶ情報フレームでもよい。さらに、第３の情報は空パケットでもよく、第１の情報に含まれるデータ内容は、本開示においては限定されない。送信された第３の情報は、１つ又は複数の基地局によって受信されてもよく、１つ又は複数の基地局によってネットワーク・サーバに転送されてもよい。ネットワーク・サーバは、受信した第３の情報の品質データ（たとえば、受信信号強度指標（ＲＳＳＩ）及び／又は信号対雑音比（ＳＮＲ）など）に応じて、端末のダウンリンク・データに対応する基地局を更新してもよい。たとえば、端末のダウンリンク・データに対応する基地局として、受信信号強度指標（ＲＳＳＩ）及び／又は信号対雑音比（ＳＮＲ）が最大の基地局を選択することができる。
【００８０】
本開示の一実施形態では、端末は、基地局識別子リスト（区別するために、「第３の基地局識別子リスト」と呼んでもよい）を保持してもよく、第２の基地局識別子は、第３の基地局識別子リストに記録されてもよい。第１の基地局識別子が第２の基地局識別子と一致しない場合、第５の基地局は第６の基地局と異なるとみなすことができる。この時点で、第５の基地局を識別するための基地局識別子パラメータとして、第１の基地局識別子を、第３の基地局識別子リストに書き込むことができる。したがって、様々な基地局を識別するのにそれぞれ使用される複数の基地局識別子パラメータを、第３の基地局識別子リストに記録することができる。続いて新規のビーコン・フレームが受信される場合、新規のビーコン・フレーム内の基地局識別子を、第３の基地局識別子リストに記録された各基地局識別子パラメータ（すなわち、基地局識別子）とそれぞれ比較することができる。新規のビーコン・フレーム内の基地局識別子が第３の基地局識別子リストに現れない場合、現在受信しているビーコン・フレームに対応する基地局が新規の基地局であるとみなすことができ、第３の情報をネットワーク・サーバに送信することができ、新規のビーコン・フレーム内の基地局識別子を第３の基地局識別子リストに書き込むことができる。
【００８１】
図５は、図４に示す方法をLoRaWANの場面に適用する様子を示す概略流れ図である。
【００８２】
図５に示すネットワーク・サーバはLoRaWANサーバでもよく、基地局（ゲートウェイ）はLoRa基地局でもよい。端末（端末装置）とネットワーク・サーバは、LoRaWANプロトコルに基づいて通信することができ、すなわち端末は、１つ又は複数の基地局を介してサーバにアップリンク・データを送信することができ、サーバも、１つ又は複数の基地局を介してダウンリンク・データを端末に送信することができる。さらに、アップリンク・データが通過する基地局と、ダウンリンク・データが通過する基地局の分布は、一致していてもよく、一致していなくてもよい。
【００８３】
本開示では、端末装置は、LoRaWANプロトコルのクラスＢモードで動作する端末でもよい。クラスＢでは、基地局がビーコンを１２８秒ごとに送信し、端末装置が受信ウィンドウを周期的に開き（これを「ｐｉｎｇスロット」と呼ぶ）、受信ウィンドウ内でネットワーク・サーバが送信するダウンリンク通信を「ｐｉｎｇフレーム」と呼ぶ。
【００８４】
図５に示すように、１．第６の基地局（ゲートウェイ６）は、クラスＢモードで動作する端末に第６のビーコン・フレームを送信し、第６のビーコン・フレームは、第６の基地局を識別するための第２の基地局識別子を含む。
【００８５】
２．第２の基地局識別子をもつ第６のビーコン・フレームを受信した後、端末は、第２の基地局識別子を、第３の基地局識別子リストに記録してもよい。
【００８６】
３．ネットワーク・サーバは、ｐｉｎｇフレームをゲートウェイに送信する。
【００８７】
４．（ゲートウェイ６などの）ゲートウェイは、ネットワーク・サーバが送信するｐｉｎｇフレームを端末装置に転送する。
【００８８】
図５でのステップ５〜９に示すように、続いて第５の基地局（ゲートウェイ５）が、クラスＢモードで動作する端末に第５のビーコン・フレームを送信する場合、第５のビーコン・フレームは、第５の基地局を識別するための第１の基地局識別子を含む。端末は、受信した第５のビーコン・フレーム内にある第１の基地局識別子、及び最後に受信された第６のビーコン・フレーム内の第２の基地局識別子を決定することができる。たとえば、第１の基地局識別子と一致する基地局識別子が、第３の基地局識別子リスト内に存在するかどうか判定することが可能である。このような基地局識別子が存在する場合、第３の情報を送信する必要がないことを示し、このような基地局識別子が存在しない場合、第３の情報を送信する必要があることを示し、第１の基地局識別子を第３の基地局識別子リストに書き込むこともできる。一例として、端末が送信する第３の情報は、ゲートウェイ１及び／又はゲートウェイ２を介してネットワーク・サーバに送信されてもよい。ネットワーク・サーバは、第３の情報によって、端末のダウンリンク・データに対応する基地局を更新してもよい。たとえば、端末のダウンリンク・データに対応する基地局として、受信信号が最も強いゲートウェイを選択してもよい。
【００８９】
図５でのステップ１０〜１１に示すように、続いて端末が新規のビーコン・フレームを受信する場合、新規のビーコン・フレーム内の基地局識別子と一致する基地局識別子が、第３の基地局識別子リスト内にあるかどうかを判定することが可能である。このような基地局識別子が存在する場合は、第３の情報は送信されず、そうでない場合には、第３の情報は送信される。たとえば、クラスＢモードで動作する端末にゲートウェイ６が再度ビーコン・フレームを送信し、ビーコン・フレームは、ＧＷＥＵＩ６をその中にもつと仮定する。端末は、受信したビーコン・フレーム内にあるＧＷＥＵＩ６と、第３の基地局識別子リスト内のＧＷＥＵＩとを比較し、ＧＷＥＵＩ６が第３の基地局識別子リスト内にあると判定し、第３の情報を送信しないと判定してもよい。
【００９０】
ビーコン・フレーム内のＧＰＳ情報が変化したかどうかを単に比較する場合に比べて、基地局識別子（ＧＷＥＵＩ）の比較を用いる実施形態の判定方法はさらに正確であり、これにより、不要な基地局更新フレームを端末が送信する回数を削減することができ、端末の消費電力を低減することができ、端末の電池の耐用年数を延ばすことができる。
【００９１】
図６は、本発明の別の実施形態による、端末と基地局の間の通信方法を示す概略流れ図である。図６に示す方法は、端末で実行することができる。
【００９２】
図６に示すように、ステップＳ６１０において、第７の基地局が送信する第７のビーコン・フレームを受信する。
【００９３】
ステップＳ６２０において、第４の基地局識別子リスト内の第１の基地局識別子パラメータと既存の各基地局識別子パラメータとの間の差が所定の閾値よりも大きい場合、第４の情報がネットワーク・サーバに送信される。
【００９４】
第１の基地局識別子パラメータは、第７の基地局を識別するために使用される。第４の基地局識別子リストは、複数の既存の基地局識別子パラメータを含んでもよく、既存の各基地局識別子パラメータは、第７のビーコン・フレームが受信される前に受信されるビーコン・フレームに対応する基地局を特徴づけるために使用されてもよい。たとえば、第７のビーコン・フレームを受信する前に、基地局１からのビーコン・フレーム１、基地局２からのビーコン・フレーム２、及び基地局３からのビーコン・フレーム３も受信する場合、第４の基地局識別子リストは、基地局１を特徴づけるのに使用される基地局識別子パラメータ１、基地局２を特徴づけるのに使用される基地局識別子パラメータ２、及び基地局３を特徴づけるのに使用される基地局識別子パラメータ３を含んでもよい。
【００９５】
本開示では、基地局識別子パラメータは、基地局の位置を特徴づけるのに使用される位置情報でもよく、又は基地局の位置を特徴づけるのに使用される位置情報と、基地局が送信するビーコン・フレームの受信信号強度を特徴づけるのに使用される受信信号強度情報との組合せでもよい。
【００９６】
基地局識別子パラメータが位置情報である場合、第７のビーコン・フレームは、第７の基地局を特徴づけるのに使用される第７の位置情報を含む。第７の位置情報は、第４の基地局識別子リスト内の既存の各基地局識別子パラメータ（すなわち、既存の位置情報）と比較して、第７の位置情報までの距離が第１の所定の閾値よりも短い、第４の基地局識別子リスト内の既存の位置情報が存在するかどうか判定することができる。このような既存の位置情報が存在する場合、第７のビーコン・フレームを送信する第７の基地局が、新規の基地局ではないことを示し、したがって第４の情報はネットワーク・サーバに送信されない。このような既存の位置情報が存在しない場合、第７のビーコン・フレームを送信する第７の基地局が、新規の基地局であることを示し、したがって第４の情報がネットワーク・サーバに送信される。
【００９７】
基地局識別子パラメータが、位置情報と受信信号強度情報との組合せである場合、第７のビーコン・フレームは、第７の基地局を特徴づけるのに使用される第７の位置情報を含み、受信した第７のビーコン・フレームの受信信号強度情報を記録することができる（区別するために、これを「第３の受信信号強度情報」と呼んでもよい）。第７の位置情報及び第３の受信信号強度情報は、第４の基地局識別子リストに記録された基地局識別子パラメータ（すなわち、位置情報及び受信信号強度情報）の各セットと比較することができる。第４の基地局識別子リストにおいて、位置情報の差が第１の所定の閾値よりも小さく、受信信号強度の差が第２の所定の閾値よりも小さいような基地局識別子パラメータが存在しない場合、第７のビーコン・フレームを送信する第７の基地局が、新規の基地局であるとみなすことができ、第４の情報がネットワーク・サーバに送信される。
【００９８】
前述の第１の情報の役割と同様に、第４の情報は、第１の情報に基づいて端末のダウンリンク・データに対応する基地局をネットワーク・サーバが更新するために使用される。第４の情報は、基地局更新要求（すなわち、アップリンク経路の更新フレーム）など、ある特定のデータ情報を運ぶ情報フレームでもよい。さらに、第４の情報は空パケットでもよく、第４の情報に含まれるデータ内容は、本開示においては限定されない。送信された第４の情報は、１つ又は複数の基地局によって受信されてもよく、１つ又は複数の基地局によってネットワーク・サーバに転送されてもよい。ネットワーク・サーバは、受信した第４の情報の品質データ（たとえば、受信信号強度指標（ＲＳＳＩ）及び／又は信号対雑音比（ＳＮＲ）など）に応じて、端末のダウンリンク・データに対応する基地局を更新してもよい。たとえば、端末のダウンリンク・データに対応する基地局として、受信信号強度指標（ＲＳＳＩ）及び／又は信号対雑音比（ＳＮＲ）が最大の基地局を選択することができる。
【００９９】
図７は、本発明の別の実施形態による、端末と基地局の間の通信方法を示す概略流れ図である。図７に示す方法は、端末で実行することができる。
【０１００】
図７を参照すると、ステップＳ７１０において、第８の基地局が送信する第８のビーコン・フレームが受信され、第８のビーコン・フレームは第３の基地局識別子を含む。
【０１０１】
ステップＳ７２０において、第３の基地局識別子が第５の基地局識別子リストの既存の各基地局識別子と一致しない場合、第５の情報がネットワーク・サーバに送信される。
【０１０２】
第３の基地局識別子は、第８のビーコン・フレームを送信する第８の基地局を識別するために使用される。第５の基地局識別子リストは、複数の既存の基地局識別子を含んでもよく、既存の各基地局識別子は、第７のビーコン・フレームが受信される前に受信されるビーコン・フレームに対応する基地局を識別するために使用されてもよい。たとえば、第７のビーコン・フレームが受信される前に、基地局１からのビーコン・フレーム１、基地局２からのビーコン・フレーム２、及び基地局３からのビーコン・フレーム３も受信される場合、第５の基地局識別子リストは、基地局１を識別するのに使用される既存の基地局識別子１、基地局２を識別するのに使用される既存の基地局識別子２、及び基地局３を識別するのに使用される既存の基地局識別子３を含んでもよい。基地局識別子は、６４ビットＥＵＩなどの基地局拡張固有識別子（ゲートウェイ拡張固有識別子（ＧＷＥＵＩ））でもよい。
【０１０３】
第８のビーコン・フレームを受信した後、第８のビーコン・フレーム内の第３の基地局識別子を、基地局リスト内の既存の各基地局識別子と比較することができる。第３の基地局識別子が第５の基地局識別子リスト内の既存の各基地局識別子と一致しない場合、すなわち、第３の基地局識別子が第５の基地局識別子リスト内に現れない場合、第８のビーコン・フレームを送信する第８の基地局が新規の基地局であるとみなすことができ、第５の情報がネットワーク・サーバに送信される。第３の基地局識別子が第５の基地局識別子リスト内に現れる場合、第８のビーコン・フレームを送信する第８の基地局が新規の基地局ではないとみなすことができ、第５の情報はネットワーク・サーバに送信されない。
【０１０４】
前述の第１の情報の役割と同様に、第５の情報は、第１の情報に基づいて端末のダウンリンク・データに対応する基地局をネットワーク・サーバが更新するために使用される。第５の情報は、基地局更新要求（すなわち、アップリンク経路の更新フレーム）など、ある特定のデータ情報を運ぶ情報フレームでもよい。さらに、第５の情報は空パケットでもよく、第５の情報に含まれるデータ内容は、本開示においては限定されない。送信された第５の情報は、１つ又は複数の基地局によって受信されてもよく、１つ又は複数の基地局によってネットワーク・サーバに転送されてもよい。ネットワーク・サーバは、受信した第５の情報の品質データ（たとえば、受信信号強度指標（ＲＳＳＩ）及び／又は信号対雑音比（ＳＮＲ）など）に応じて、端末のダウンリンク・データに対応する基地局を更新してもよい。たとえば、端末のダウンリンク・データに対応する基地局として、受信信号強度指標（ＲＳＳＩ）及び／又は信号対雑音比（ＳＮＲ）が最大の基地局を選択することができる。
【０１０５】
［通信装置］
図８は、本開示の一実施形態による、端末と基地局の間の通信装置の構造を示す概略ブロック図である。図８に示す装置は、端末に設置することができる。通信装置の各機能モジュールは、本発明の原理を実装するハードウェア、ソフトウェアによって、又はハードウェアとソフトウェアの組合せによって実装することができる。図８に記載した機能モジュールは、ともに組み合わせたり、サブモジュールに分割したりして、前述の本発明の原理を実装できることを当業者には理解することができる。したがって、本明細書における説明は、本明細書に記載の機能モジュールの実現可能な任意の組合せ、又は分割、又はさらなる制限に対応することができる。
【０１０６】
通信装置が有することのできる機能モジュール、及び各機能モジュールが実行できる動作を、以下で簡潔に説明する。関連する詳細については、ここでは繰り返さないことになる前述の関連説明をどうか参照されたい。
【０１０７】
図８を参照すると、通信装置８００は、受信モジュール８１０及び送信モジュール８２０を備える。さらに、図中の破線ボックスに示したリスト更新モジュール８３０を任意選択として備えてもよい。
【０１０８】
実施形態１：
この実施形態では、受信モジュール８１０は、第１の基地局が送信する第１のビーコン・フレームを受信するために使用される。第１のビーコン・フレームは第１の位置情報を含み、第１の位置情報は、第１の基地局の位置を特徴づけるために使用される。第１の位置情報と第２の位置情報との間の距離が、第１の所定の閾値よりも長い場合、又は第１の受信信号強度情報と第２の受信信号強度情報との間の差が、第２の所定の閾値よりも大きい場合に、送信モジュール８２０は、第１の情報をネットワーク・サーバに送信するために使用され、第１の情報は、第１の情報に基づいて端末のダウンリンク・データに対応する基地局をネットワーク・サーバが更新するために使用され、第２の位置情報は、第１のビーコン・フレームが受信される前に受信される第２のビーコン・フレームに対応する第２の基地局の位置を特徴づけるために使用され、第２の受信信号強度情報は、第２のビーコン・フレームの受信信号強度を特徴づけるために使用される。
【０１０９】
本開示の一例として、第１の基地局が送信する第１のビーコン・フレームを受信する前に、さらに受信モジュール８１０は、第２の基地局が送信する第２のビーコン・フレームを受信するために使用されてもよく、第２のビーコン・フレームは第２の位置情報を含む。通信装置はさらに、第２のビーコン・フレームの第２の受信信号強度情報を記録するための記録モジュールを備えてもよい。
【０１１０】
本開示の別の例として、第２の位置情報及び第２の受信信号強度情報は、第１の基地局識別子リストに記録されてもよい。第１の位置情報と第２の位置情報との間の距離が、第１の所定の閾値よりも長い場合、又は第１の受信信号強度情報と第２の受信信号強度情報との間の差が、第２の所定の閾値よりも大きい場合に、リスト更新モジュール８３０は、第１の位置情報及び第１の受信信号強度情報を第１の基地局識別子リストに書き込む（たとえば、関連づけて書き込む）。
【０１１１】
実施形態２：
この実施形態では、受信モジュール８１０は、第３の基地局が送信する第３のビーコン・フレームを受信するために使用されｒ。第３のビーコン・フレームは第３の位置情報を含み、第３の位置情報は、第３の基地局の位置を特徴づけるために使用される。第３の位置情報と第４の位置情報との間の距離が、第１の所定の閾値よりも長い場合に、送信モジュール８２０は、第２の情報をネットワーク・サーバに送信するために使用され、第２の情報は、第２の情報に基づいて端末のダウンリンク・データに対応する基地局をネットワーク・サーバが更新するために使用され、第４の位置情報は、第３のビーコン・フレームが受信される前に受信される第４のビーコン・フレームに対応する第４の基地局の位置を特徴づけるために使用される。
【０１１２】
本開示の一例として、第３の基地局が送信する第３のビーコン・フレームを受信する前に、さらに受信モジュール８１０は、第４の基地局が送信する第４のビーコン・フレームを受信するために使用され、第４のビーコン・フレームは第４の位置情報を含む。
【０１１３】
本開示の別の例として、第４の位置情報が、第２の基地局識別子リストに記録され、第３の位置情報と第４の位置情報との間の距離が、第１の所定の閾値よりも長い場合に、リスト更新モジュール８３０は、第３の位置情報を第２の基地局識別子リストに書き込むために使用される。
【０１１４】
実施形態３：
この実施形態では、受信モジュール８１０は、第５の基地局が送信する第５のビーコン・フレームを受信するために使用され、第５のビーコン・フレームは第１の基地局識別子を含む。第１の基地局識別子が第２の基地局識別子と一致しない場合に、送信モジュール８２０は、第３の情報をネットワーク・サーバに送信するために使用され、第３の情報は、第３の情報に基づいて端末のダウンリンク・データに対応する基地局をネットワーク・サーバが更新するために使用され、第２の基地局識別子は、第５のビーコン・フレームが受信される前に受信される第６のビーコン・フレームに対応する第６の基地局を識別するために使用される。
【０１１５】
本開示の一例として、さらに受信モジュール８１０は、第５の基地局が送信する第５のビーコン・フレームを受信する前に、第６の基地局が送信する第６のビーコン・フレームを受信するために使用され、第６のビーコン・フレームが第２の基地局識別子を含む。
【０１１６】
本開示の別の例として、第２の基地局識別子は、第３の基地局識別子リストに記録され、第１の基地局識別子が、第２の基地局識別子と一致しない場合に、リスト更新モジュール８３０は、第１の基地局識別子を第３の基地局識別子リストに書き込むために使用される。
【０１１７】
実施形態４：
この実施形態では、受信モジュール８１０は、第７の基地局が送信する第７のビーコン・フレームを受信するために使用される。第１の基地局識別子パラメータと第４の基地局識別子リスト内の既存の各基地局識別子パラメータとの間の差が、所定の閾値よりも大きい場合に、送信モジュール８２０は、第４の情報をネットワーク・サーバに送信するために使用され、第４の情報は、第４の情報に基づいて端末のダウンリンク・データに対応する基地局をネットワーク・サーバが更新するために使用され、第１の基地局識別子パラメータは、第７の基地局を識別するために使用され、既存の基地局識別子パラメータは、第７のビーコン・フレームが受信される前に受信されるビーコン・フレームに対応する基地局を識別するために使用される。
【０１１８】
実施形態５：
この実施形態では、受信モジュール８１０は、第８の基地局が送信する第８のビーコン・フレームを受信するために使用され、第８のビーコン・フレームは第３の基地局識別子を含む。第３の基地局識別子が第５の基地局識別子リスト内の既存の各基地局識別子と一致しない場合に、送信モジュール８２０は、第５の情報をネットワーク・サーバに送信するために使用され、第５の情報は、第５の情報に基づいて端末のダウンリンク・データに対応する基地局をネットワーク・サーバが更新するために使用され、第５の基地局識別子リストは、第８のビーコン・フレームが受信される前に受信されるビーコン・フレームに対応する基地局の識別子を記録する。
【０１１９】
［コンピューティング装置］
図９には、本開示の実施形態による、端末と基地局の間の前述の通信方法を実装するのに使用することができる、コンピューティング装置の概略構造図が示してある。
【０１２０】
図９を参照すると、コンピューティング装置９００は、メモリ９１０及びプロセッサ９２０を備える。
【０１２１】
プロセッサ９２０は、マルチコア・プロセッサでもよく、又は複数のプロセッサを備えてもよい。実施形態によっては、プロセッサ９２０には、汎用のメイン・プロセッサ、及び１つ又は複数の特別なコプロセッサ、たとえば、グラフィック処理装置（ＧＰＵ）、デジタル信号プロセッサ（ＤＳＰ）などが含まれ得る。実施形態によっては、プロセッサ９２０は、特注の回路、たとえば、特定用途向け集積回路（ＡＳＩＣ）又はフィールド・プログラマブル・ゲート・アレイ（ＦＰＧＡ）を使用して実装されてもよい。
【０１２２】
メモリ９１０は、様々なタイプの記憶ユニット、たとえば、システム・メモリ、リード・オンリ・メモリ（ＲＯＭ）、及び永久記憶装置を含んでもよい。ＲＯＭは、プロセッサ９２０、又はコンピュータの他のモジュールが必要とする静的なデータ又は命令を記憶してもよい。永久記憶装置は、読み書き記憶装置でもよい。永久記憶装置は、コンピュータが電源オフになった後でも、記憶済みの命令及びデータを失わない不揮発性記憶装置でもよい。実施形態によっては、永久記憶装置は、永久記憶装置として大容量記憶装置（たとえば、磁気ディスク又は光ディスク、及びフラッシュ・メモリ）を採用する。他の実施形態では、永久記憶装置は、取外し可能記憶装置（たとえば、フロッピー・ディスク及び光学ドライブ）でもよい。システム・メモリは、読み書き記憶装置でもよく、又は揮発性の読み書き記憶装置、たとえばダイナミック・ランダム・アクセス・メモリでもよい。システム・メモリは、実行時にプロセッサが必要とする、命令及びデータの一部又はすべてを記憶することができる。さらに、メモリ９１０は、様々なタイプの半導体メモリ・チップ（ＤＲＡＭ、ＳＲＡＭ、ＳＤＲＡＭ、フラッシュ・メモリ、及びプログラマブル・リードオンリ・メモリ）を含むコンピュータ読取り可能な記憶媒体の任意の組合せを含んでもよく、並びに、磁気ディスク及び／又は光ディスクを使用してもよい。実施形態によっては、メモリ９１０には、たとえば、コンパクト・ディスク（ＣＤ）、読取り専用のデジタル多用途ディスク（たとえば、ＤＶＤ−ＲＯＭ、２層ＤＶＤ−ＲＯＭなど）、読取り専用のブルーレイ・ディスク、超高密度ディスク、フラッシュ・メモリ・カード（たとえば、ＳＤカード、ミニＳＤカード、マイクロＳＤカードなど）、磁気フロッピー・ディスクなど、読取り及び／又は書込みが可能な取外し可能記憶装置が含まれ得る。コンピュータ読取り可能な記憶媒体は、無線方式又は有線方式で伝送される搬送波及び過渡的な電子信号を含まない。
【０１２３】
メモリ９１０は実行可能コードを記憶し、コードは、プロセッサ９２０によって処理されると、端末と基地局の間の前述の通信方法をプロセッサ９２０が実行できるようにしてもよい。
【０１２４】
本開示による、端末と基地局の間の通信用の方法、装置、及びデバイスが、添付図面を参照してこれまで詳細に説明されてきた。
【０１２５】
さらに、本開示による方法はまた、本開示の上記方法において定義された様々なステップを実行するためのコンピュータ・プログラム・コード命令を含むコンピュータ・プログラム又はコンピュータ・プログラム製品として実装することができる。
【０１２６】
或いは、本開示はまた、実行可能コード（又は、コンピュータ・プログラム、若しくはコンピュータ命令コード）が記憶される非一時的で機械読取り可能な記憶媒体（又は、コンピュータ読取り可能な記憶媒体、若しくは機械読取り可能な記憶媒体）として実装されてもよい。電子装置（又は、コンピューティング装置、サーバなど）のプロセッサによって実行されると、実行可能コード（又は、コンピュータ・プログラム、若しくはコンピュータ命令コード）は、本開示による前述の方法の様々なステップをプロセッサが実行できるようにする。
【０１２７】
本開示に関連して説明した様々な例示的な論理ブロック、モジュール、回路、及びアルゴリズム・ステップが、電子ハードウェア、コンピュータ・ソフトウェア、又はその両方の組合せとして実装できることも、当業者には理解されよう。
【０１２８】
添付図面の流れ図及びブロック図には、本開示の複数の実施形態によるシステム及び方法の、実現可能な実施形態のアーキテクチャ、機能、及び動作が示してある。この点に関しては、流れ図又はブロック図のブロックが、モジュール、プログラム・セグメント、又はコードの一部分を表してもよく、モジュール、プログラム・セグメント、又はコードの一部分は、指定された論理機能を実装するための１つ又は複数の実行可能命令を含む。代替実装形態によっては、ブロックにおいてマークされた機能は、添付図面においてマークされた機能とは異なる順序でも発生する場合があることにも留意されたい。たとえば、連続した２つのブロックは、実際には並列に実行することができ、又は関係する各機能に応じて逆の順序で実行できる場合もある。ブロック図及び／又は流れ図での各ブロック、並びにブロック図及び／若しくは流れ図でのブロックの組合せは、指定された機能若しくは動作を実行する専用のハードウェア・ベースのシステムによって実施することができ、又は専用のハードウェアとコンピュータ命令の組合せによって実施できることにも留意されたい。
【０１２９】
本開示の実施形態をこれまで説明してきたが、前述の説明は、例示的なものであり、網羅的なものではなく、開示された実施形態に限定されるものではない。説明した実施形態の範囲及び精神から逸脱することなく、数多くの修正形態及び変形形態が当業者には明らかになろう。本明細書において使用される用語の選択は、実施形態の市場における、原理、実用的な用途、若しくは技術への改良を最もよく説明するものであり、又は本明細書に開示された実施形態を当業者の他の者が理解できるようにするものである。
【図１】
2021535643.tif 000003
【図２】
2021535643.tif 000004
【図３】
2021535643.tif 000005
【図４】
2021535643.tif 000006
【図５】
2021535643.tif 000007
【図６】
2021535643.tif 000008
【図７】
2021535643.tif 000009
【図８】
2021535643.tif 000010
【図９】
2021535643.tif 000011
【国際調査報告】
2021535643.tif 000012
2021535643.tif 000013
2021535643.tif 000014
2021535643.tif 000015